Podtech/llm-jp-corpus-v4-ja_patent huggingface dataset:
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
液滴吐出ヘッドに対峙するプラテン面と、当該プラテン面に沿って搬送される記録紙を当該プラテン面に吸引する吸引機構と、を有する吸引プラテン機構であって、
前記プラテン面における記録紙搬送方向と直交する幅方向の中央を含む領域には、記録紙搬送方向に延びる複数の第１リブと、前記幅方向に延びる複数の第２リブによって格子状に区画された第１吸引領域が設けられ、当該第１吸引領域における各格子状区画室の底部が矩形状の第１吸引孔となっており、
前記プラテン面における前記第１吸引領域の両側には、前記第１吸引領域における前記第１吸引孔とは異なる配置あるいは形状の第２吸引孔が形成された第２吸引領域が設けられていることを特徴とする吸引プラテン機構。
【請求項２】
請求項１に記載の吸引プラテン機構において、
前記第１吸引領域の前記幅方向の寸法は、搬送される前記記録紙の両側を規制するガイドの最小幅以下に設定されていることを特徴とする吸引プラテン機構。
【請求項３】
請求項１または２に記載の吸引プラテン機構において、
前記第１吸引領域の前記記録紙搬送方向の下流端が、前記第２吸引領域の前記記録紙
送方向の下流端よりも所定寸法だけ搬送方向上流側に後退した位置に設定されていることを特徴とする吸引プラテン機構。
【請求項４】
請求項１ないし３のいずれかの項に記載の吸引プラテン機構において、
前記第２吸引領域には、前記記録紙搬送方向に対して下流側が外側に開くように傾斜した方向に延びている複数の第３リブが、前記幅方向に並んで形成されており、
前記第３リブによって区画された各区画室のうち、前記第１吸引領域に近い区画室には前記第２吸引孔を形成せず、前記第１吸引領域から遠い区画室に前記第２吸引孔が形成されていることを特徴とする吸引プラテン機構。
【請求項５】
請求項４に記載の吸引プラテン機構において、
前記第２吸引領域は、前記幅方向に延びる第４リブによって前記記録紙搬送方向の下流側と上流側に区画されており、
前記第４リブよりも前記記録紙搬送方向の下流側の区画領域は、前記第４リブよりも前記記録紙搬送方向の上流側の区画領域に対し、第２吸引孔による開口面積あるいは開口率が大きいことを特徴とする吸引プラテン機構。
【請求項６】
請求項４または５に記載の吸引プラテン機構において、
前記複数の第３リブは、前記幅方向に所定の間隔で並んでいることを特徴とする吸引プラテン機構。
【請求項７】
請求項１ないし６のいずれかの項に記載の吸引プラテン機構において、
前記幅方向に延びている各リブは、前記記録紙搬送方向に延びている各リブ、あるいは、前記記録紙搬送方向に対して下流側が外側に開くように傾斜した方向に延びている各リブよりも低く形成されていることを特徴とする吸引プラテン機構。
【請求項８】
請求項１ないし７のいずれかの項に記載の吸引プラテン機構において、
前記吸引機構は、前記第１吸引孔および前記第２吸引孔を介して前記プラテン面上と連通している吸引通路と、当該吸引通路から予め設定した吸引力で空気を吸引する吸引ファンと、を備えることを特徴とする吸引プラテン機構。
【請求項９】
請求項１ないし８のいずれかの項に記載の吸引プラテン機構と、
当該吸引プラテン機構のプラテン面に沿って搬送されるシート状媒体に液滴を吐出するための液滴吐出ヘッドと、を有することを特徴とする液滴吐出装置。
【手続補正２】
【補正対象書類名】明細書
【補正対象項目名】００１０
【補正方法】変更
【補正の内容】
【００１０】
上記の課題を解決するため、本発明の吸引プラテン機構は、
液滴吐出ヘッドに対峙するプラテン面と、当該プラテン面に沿って搬送される記録紙を当該プラテン面に吸引する吸引機構と、を有する吸引プラテン機構であって、
前記プラテン面における記録紙搬送方向と直交する幅方向の中央を含む領域には、記録紙搬送方向に延びる複数の第１リブと、前記幅方向に延びる複数の第２リブによって格子状に区画された第１吸引領域が設けられ、当該第１吸引領域における各格子状区画室の底部が矩形状の第１吸引孔となっており、
前記プラテン面における前記第１吸引領域の両側には、前記第１吸引領域における前記第１吸引孔とは異なる配置あるいは形状の第２吸引孔が形成された第２吸引領域が設けられていることを特徴としている。
【手続補正３】
【補正対象書類名】明細書
【補正対象項目名】００１６
【補正方法】変更
【補正の内容】
【００１６】
また、前記第２吸引領域は、前記幅方向に延びる第４リブによって前記記録紙搬送方向の下流側（前方側）と上流側（後方側）に区画されており、前記第４リブよりも前記記録紙搬送方向の下流側の区画領域は、前記第４リブよりも前記記録紙搬送方向の上流側の区画領域に対し、第２吸引孔による開口面積あるいは開口率が大きい構成にすることもできる。このとき、前記複数の第３リブが、前記幅方向に所定の間隔（ほぼ等間隔）で並んでいる構成にすることもできる。記録紙搬送方向の前方側の区画領域の開口面積あるいは開口率を大きくすれば、第１吸引領域からはみ出た記録紙の部分のうち、より浮き上がりやすい記録紙の先端側の部分をより確実に吸引できる。よって、第２吸引領域に設ける吸引孔の開口面積を少なくしつつ、第１吸引領域からはみ出した記録紙の部分を効果的に平坦な状態にすることができる。
【手続補正４】
【補正対象書類名】明細書
【補正対象項目名】００３７
【補正方法】変更
【補正の内容】
【００３７】
第２吸引領域５２、５３には、側リブ２５ｅと平行な方向に延びる４本の縦リブ４６、および、境界壁２５ｃと平行な方向に延びる４本の縦リブ４７が形成されている。また、第２吸引領域５２、５３には、記録紙搬送方向Ｂと直交する方向に延びる横リブ４８、４９が形成されている。横リブ４８、４９は、第２吸引領域５２、５３における記録紙搬送方向Ｂの中央の位置に形成されている。横リブ４８、４９の上端は、横リブ４３と同様に、縦リブ４６、４７よりも一段低く形成されている。第２吸引領域５２は、縦リブ４６により、記録紙搬送方向Ｂに対して３°傾斜して延びる同一幅の４列の区画、および下流側に向かうに連れて幅が増加する１列の区画に区画され、さらに、これらの５列の区画が記録紙搬送方向Ｂの中央の位置で横リブ４８によって前後２つに区画されている。
【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
液滴吐出装置に加わった衝撃を記憶しておき、
液滴吐出ヘッドが吐出不良状態であるか否かを判定するための吐出不良検査を液滴吐出動作の開始前に行うか否かを、前記衝撃の記憶に基づいて決定し、
当該決定に基づいて行われた前記吐出不良検査により前記液滴吐出ヘッドの吐出不良状態が検出された場合には、前記液滴吐出動作の開始前に、前記液滴吐出ヘッドの吐出不良回復処理を行うことを特徴とする液滴吐出装置の制御方法。
【請求項２】
請求項１に記載の液滴吐出装置の制御方法において、
記憶された前記衝撃は、所定のレベルの衝撃であることを特徴とする液滴吐出装置の制御方法。
【請求項３】
請求項１または２に記載の液滴吐出装置の制御方法において、
記憶された前記衝撃は、前記液滴吐出装置が省電力状態にある間に加わった衝撃であり、
前記省電力状態から復帰した後に、前記省電力状態にある間に受けた前記衝撃を含む記憶に基づいて、前記吐出不良検査を行うか否かを決定することを特徴とする液滴吐出装置の制御方法。
【請求項４】
請求項１ないし３のいずれか１項に記載の液滴吐出装置の制御方法において、
前記液滴吐出動作、前記吐出不良検査、あるいは前記吐出不良回復処理のいずれかが行われた後、記憶された前記衝撃の記憶をクリアすることを特徴とする液滴吐出装置の制御方法。
【請求項５】
液滴を吐出する液滴吐出ヘッドと、
当該液滴吐出ヘッドが吐出不良状態であるか否かを検査するための吐出不良検査手段と、
前記液滴吐出ヘッドの吐出不良回復処理を行うための吐出不良回復手段と、
衝撃を検出する衝撃センサーと、
前記衝撃センサーで検出された前記衝撃の情報を記憶する記憶部と、
前記記憶部に記憶された前記衝撃の情報に基づいて、前記吐出不良検査手段で吐出不良検査を液滴吐出動作の開始前に行うか否かを決定し、前記決定に基づいて行われた前記吐出不良検査により前記液滴吐出ヘッドの吐出不良状態が検出された場合には、前記液滴吐出動作の開始前に、前記吐出不良回復手段で前記液滴吐出ヘッドの吐出不良回復処理を行わせる制御部と、
を有することを特徴とする液滴吐出装置。
【手続補正２】
【補正対象書類名】明細書
【補正対象項目名】００１１
【補正方法】変更
【補正の内容】
【００１１】
ここで、前記液滴吐出動作を行うときに、記憶された前記衝撃は、所定のレベルの衝撃であることが望ましい。このように、吐出不良を発生させる可能性がある衝撃のレベルを予め設定しておけば、このレベルより小さい衝撃が発生しても吐出不良検査を行わないようにすることができる。よって、無駄な吐出不良検査が実施されることを、より確実に抑制できる。
【手続補正３】
【補正対象書類名】明細書
【補正対象項目名】００１２
【補正方法】変更
【補正の内容】
【００１２】
また、本発明において、記憶された前記衝撃は、前記液滴吐出装置が省電力状態にある間に加わった衝撃であり、前記省電力状態から復帰した後に、前記液滴吐出動作を行うときには、前記省電力状態にある間に受けた前記衝撃を含む記憶に基づいて、前記吐出不良検査を行うか否かを決定するように構成することもできる。このように、省電力状態にある間に受けた衝撃を記憶しておくことにより、より的確に吐出不良検査の要否を判定できる。省電力状態とは、装置が待機状態や、ヘッドやモーターなどの駆動源やその他の部品への電力供給を一時停止した状態や、ＣＰＵがスリープモードになった状態などを含む。
【手続補正４】
【補正対象書類名】明細書
【補正対象項目名】００１３
【補正方法】変更
【補正の内容】
【００１３】
更に、本発明において、前記液滴吐出動作、前記吐出不良検査、あるいは前記吐出不良回復処理のいずれかが行われた後、記憶された前記衝撃の記憶をクリアするとよい。このようにすれば、直近に行われた液滴吐出動作、吐出不良検査、あるいは吐出不良回復処理以降の衝撃の記憶のみを吐出不良検査の要否判断に用いることができる。これにより、より的確に吐出不良検査の要否を判断できる。
【手続補正５】
【補正対象書類名】明細書
【補正対象項目名】００１４
【補正方法】変更
【補正の内容】
【００１４】
次に、本発明の液滴吐出装置は、液滴を吐出する液滴吐出ヘッドと、当該液滴吐出ヘッドが吐出不良状態であるか否かを検査するための吐出不良検査手段と、前記液滴吐出ヘッドの吐出不良回復処理を行うための吐出不良回復手段と、衝撃を検出する衝撃センサーと、前記衝撃センサーで検出された前記衝撃の情報を記憶する記憶部と、前記記憶部に記憶された前記衝撃の情報に基づいて、前記吐出不良検査手段で吐出不良検査を液滴吐出動作の開始前に行うか否かを決定し、前記決定に基づいて行われた前記吐出不良検査により前記液滴吐出ヘッドの吐出不良状態が検出された場合には、前記液滴吐出動作の開始前に、前記吐出不良回復手段で前記液滴吐出ヘッドの吐出不良回復処理を行わせる制御部と、を有することを特徴としている。
【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
第1水平方向に沿って延びる回転中心軸線で回転する羽根、吸引部と接続される吸引口、及び前記第１水平方向と直交する第２水平方向に向かって開口する排気口を有し、前記吸引部で吸気を行う遠心ファンと、
前記遠心ファンの前記排気口に接続されて、前記排気口から前記遠心ファンの前記羽根の回転方向に湾曲する排気流路と、を有していることを特徴とするプリンター。
【請求項２】
前記排気流路は、前記遠心ファンの前記排気口に接続された吸気側開口、及び前記遠心ファンの前記排気口と反対方向を向いた排気側開口を有する排気ダクトである請求項１に記載のプリンター。
【請求項３】
前記遠心ファンが取り付けられているプリンター本体フレームと、
前記プリンター本体フレーム内に形成されたロール紙収納部と、
前記吸引部を備える吸引プラテンと、
前記プリンター本体フレームに開閉可能に取り付けられており、前記吸引プラテンを搭載し、前記ロール紙収納部を開閉する開閉蓋と、
前記遠心ファンの前記吸引口を前記吸引プラテンの前記吸引部に対し、接続及び切り離し可能な吸気流路と、を有している請求項１または２に記載のプリンター。
【請求項４】
前記吸気流路は、吸気ダクトを含んでおり、
前記開閉蓋を開くと、前記吸気ダクトは前記吸引部から切り離される請求項３に記載のプリンター。
【請求項５】
インクジェット印刷ヘッドを備える請求項１から４のいずれか１項に記載のプリンター。
【手続補正２】
【補正対象書類名】明細書
【補正対象項目名】０００８
【補正方法】変更
【補正の内容】
【０００８】
上記の課題を解決するために、本発明のプリンターは、第1水平方向に沿って延びる回転中心軸線で回転する羽根、吸引部と接続される吸引口、及び前記第１水平方向と直交する第２水平方向に向かって開口する排気口を有し、前記吸引部で吸気を行う遠心ファンと、
前記遠心ファンの前記排気口に接続されて、前記排気口から前記遠心ファンの前記羽根の回転方向に湾曲する排気流路と、を有していることを特徴とする。
【手続補正３】
【補正対象書類名】明細書
【補正対象項目名】００１０
【補正方法】変更
【補正の内容】
【００１０】
この場合において、プリンターからの排気を、装置の下側から行うようにするためには、前記遠心ファンは、前記羽根の回転中心軸線が第１水平方向に沿って延びており、前記排気口が前記第１水平方向と直交する第２水平方向に向かって開口するように配設されており、前記排気流路は、前記遠心ファンの前記排気口に接続された吸気側開口、及び前記遠心ファンの前記排気口と反対方向を向いた排気側開口を有する排気ダクトで構成すればよい。
【手続補正４】
【補正対象書類名】明細書
【補正対象項目名】００１１
【補正方法】変更
【補正の内容】
【００１１】
本発明において、前記遠心ファンが取り付けられているプリンター本体フレームと、前記プリンター本体フレームに形成されたロール紙収納部と、前記吸引部を備える吸引プラテンと、前記ロール紙収納部を開閉するために前記プリンター本体フレームに開閉可能に取り付けられており、前記吸引プラテンを搭載し、前記ロール紙収納部を開閉する開閉蓋と、前記遠心ファンの前記吸引口を前記吸引プラテンの前記吸引部に対し、接続及び切り離し可能な吸気流路と、を有していることが望ましい。このようにすれば、吸引プラテンが開閉蓋の開閉に伴って移動するような場合でも、吸気流路を、開閉蓋が閉じている状態における吸引プラテンの吸引部と遠心ファンの吸引口の間の距離に対応する長さに構成することができる。すなわち、吸気流路をプリンター本体内に短く構成することができるので、吸気流路の流路抵抗を低減できる。この結果、遠心ファンの吸引効率を向上させることができる。
【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
第１記録紙を案内する第１紙搬送路と、
第２記録紙を案内する第２紙搬送路と、
印刷位置を経由するもので、少なくとも前記第１紙搬送路と前記第２紙搬送路の一部を共通とする共通紙搬送路と、
を有し、
前記共通紙搬送路と前記第１紙搬送路との間に、中間紙搬送路を形成し、当該中間紙搬送路は、紙搬送方向に湾曲した形状を備えていることを特徴とするプリンター。
【請求項２】
請求項１に記載のプリンターにおいて、
前記第１紙搬送路は、前記第１記録紙を挿入する紙挿入口を含み、
前記第２紙搬送路は、ロール紙収納部から引き出される前記第２記録紙を案内するものであることを特徴とするプリンター。
【請求項３】
請求項１または２に記載のプリンターにおいて、
前記共通紙搬送路と前記第１紙搬送路との間に、前記中間紙搬送路を形成するためのアタッチメントを有し、当該アタッチメントにより前記第１紙搬送路と前記共通紙搬送路との間を連続させることを特徴とするプリンター。
【請求項４】
請求項１ないし３のうちいずれかの項に記載のプリンターにおいて、
ロール紙収納部を開閉するための開閉蓋を有し、
前記アタッチメントは、前記開閉蓋に取り付けられており、
前記開閉蓋の開動作に連動して、前記中間紙搬送路が開放状態になり、前記開閉蓋の閉動作に連動して、前記中間紙搬送路が形成されることを特徴とするプリンター。
【請求項５】
請求項４に記載のプリンターにおいて、
前記第２紙搬送路は、前記ロール紙収納部から引き出された前記第２記録紙の張力を調整するためのテンションガイドを有しており、
前記テンションガイドは、前記開閉蓋に配置され、
前記アタッチメントは、前記テンションガイドに着脱可能に取り付けられていることを特徴とするプリンター。
【請求項６】
請求項４または５に記載のプリンターにおいて、
前記アタッチメントに対向する位置に紙押さえローラーを有しており、
前記アタッチメントの前記紙押さえローラーに対する対向面と前記紙押さえローラーの外周面とにより前記湾曲した形状が形成されることを特徴とするプリンター。
【請求項７】
請求項６に記載のプリンターにおいて、
前記開閉蓋が閉じるとき、前記アタッチメントの紙幅方向の端をガイドする案内面を前記紙押さえローラーの側方に有することを特徴とするプリンター。
【請求項８】
請求項４ないし７のうちいずれかの項に記載のプリンターにおいて、
前記開閉蓋の開動作に連動して、前記第２紙搬送路が開放状態となり、前記開閉蓋の閉動作に連動して、前記第２紙搬送路が形成されることを特徴とするプリンター。
【手続補正２】
【補正対象書類名】明細書
【補正対象項目名】００１３
【補正方法】変更
【補正の内容】
【００１３】
すなわち、筐体内に印刷位置を経由する共通紙搬送路と、第１記録紙を紙挿入口から共通紙搬送路に案内する第１紙搬送路と、第２記録紙をロール紙収納部から共通紙搬送路に案内する第２紙搬送路とを備えている場合には、その構成上、共通紙搬送路の上流端における第１紙搬送路と第２紙搬送路の合流位置で、共通紙搬送路と第１紙搬送路との間、および、共通紙搬送路と第２紙搬送路との間が分断されて分断箇所が形成されてしまう。このため、紙挿入口から筐体内に第１記録紙を挿入すると、第１記録紙が分断箇所において所望の方向とは異なる方向に迷い込んだり、分断箇所で記録紙が引っかかってジャミング状態に陥ったりしてしまうことがある。これに対して、本発明では、アタッチメントにより、合流位置に共通紙搬送路と第１紙搬送路との間を連続させる中間紙搬送路が形成され、この分断箇所が無くなる。この結果、第１記録紙を紙挿入口から挿入するだけで共通紙搬送路まで導くことが可能になるので、第１記録紙を共通紙搬送路上にセットできる。
【手続補正３】
【補正対象書類名】明細書
【補正対象項目名】００２３
【補正方法】変更
【補正の内容】
【００２３】
【図１】本発明を適用したプリンターの外観斜視図である。
【図２】プリンターの開閉蓋を開けた状態を示す外観斜視図である。
【図３】アタッチメントを取り付けたプリンターの内部構造を示す説明図である。
【図４】アタッチメントを取り外したプリンターの内部構造を示す説明図である。
【図５】アタッチメントをプリンター後方とプリンター前方から見た斜視図である
【図６】テンションガイドとアタッチメントの斜視図および断面図である。
【図７】開閉蓋ユニットを僅かに開けた状態の概略側面図である。
【図８】ヘッドユニットフレームの下端部分の湾曲段面（段差面）を示す概略側面図である。
【手続補正４】
【補正対象書類名】明細書
【補正対象項目名】００４３
【補正方法】変更
【補正の内容】
【００４３】
図４に示すように、ロール紙９から繰り出された記録紙９ａは、ロール紙収納部７から繰り出しローラー３６と押圧ローラー３５のニップ部を介して上方に向うロール紙搬送路（第２紙搬送路）Ｇに沿って引き出される。しかる後にテンションガイド３７に架け渡されてプリンター前方に湾曲させられ、水平紙搬送路Ｄに導かれる。テンションガイド３７は、紙挿入口１２から水平紙搬送路Ｄに向うファンフォールド紙搬送路Ｅと、ロール紙収納部７から水平紙搬送路Ｄに向うロール紙搬送路Gの合流位置Ｈにおいて、記録紙９ａをロール紙搬送路Gから水平紙搬送路Ｄに導いている。
【手続補正５】
【補正対象書類名】明細書
【補正対象項目名】００５４
【補正方法】変更
【補正の内容】
【００５４】
（開閉蓋ユニットの開閉機構）
次に、図２、図３、図７、図８を参照して、開閉蓋ユニット３の開閉機構を説明する。図７は開閉蓋ユニット３の開閉機構を示す概略側面図であり、開閉蓋ユニット３を前方に引き出した状態を示す概略側面図である。図８はヘッドユニットフレーム２２の下端部分に形成されている湾曲段面（段差面）を示す概略側面図である。なお、図７においては、開閉蓋ユニット３の開閉蓋３ａを省略してある。
【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
一対のローラーのニップ部を介して、印刷ヘッドに対峙している吸引プラテンのプラテン面に記録紙を送り出す記録紙搬送路構造であって、
前記ニップ部は、前記プラテン面に対して前記印刷ヘッドの側にオフセットした位置にあり、
前記ニップ部を通る接平面が、前記ニップ部から前記プラテン面に向かうに連れて当該プラテン面に接近する方向に傾斜する傾斜面となるように、ローラー対が配置されており、
前記プラテン面の前記ニップ部の側には、前記プラテン面の前記ニップ部の側に向けて前記印刷ヘッドの側に傾斜する傾斜面部を有して前記ニップ部から送り出される前記記録紙をガイドするガイド面が形成されており、
当該ガイド面は、前記接平面から突出しない高さのガイド面であることを特徴とする記録紙搬送路構造。
【請求項２】
前記ガイド面の傾斜面部の傾斜は、前記接平面に沿った傾斜角度である請求項１に記載の記録紙搬送路構造。
【請求項３】
前記ガイド面は、前記傾斜面部に連続して前記ニップ部の側に向かうに連れて前記印刷ヘッドの側とは逆の側に傾斜しているすくい面部を備える請求項２に記載の記録紙搬送路構造。
【請求項４】
前記すくい面部に連続して、前記ニップ部の側に突出する突出面部が形成される請求項３に記載の記録紙搬送路構造。
【請求項５】
前記プラテン面は前記記録紙の搬送方向に延びるリブの上端面によって規定されており、
前記リブは前記吸引プラテンの端よりも前記ニップ部の側に突出する突出リブ部を備えており、
当該突出リブ部の上端面が前記突出面部である請求項４に記載の記録紙搬送路構造。
【請求項６】
前記プラテン面は上向きの水平面部を有し、
前記ローラー対は、水平に配置されて上下方向から相互に圧接する請求項１ないし５のうちのいずれか１項に記載の記録紙搬送路構造。
【請求項７】
請求項１ないし６のうちのいずれか１項に記載された記録紙搬送路構造を有するプリンター。
【請求項８】
前記印刷ヘッドはインクジェットヘッドであり、前記吸引プラテンは前記インクジェットヘッドのインクノズル面に対峙する請求項７に記載のプリンター。
【手続補正２】
【補正対象書類名】明細書
【補正対象項目名】００１０
【補正方法】変更
【補正の内容】
【００１０】
上記の課題を解決するために、本発明は、一対のローラーのニップ部を介して、印刷ヘッドに対峙している吸引プラテンのプラテン面に記録紙を送り出す記録紙搬送路構造であって、前記ニップ部は、前記プラテン面に対して前記印刷ヘッドの側にオフセットした位置にあり、前記ニップ部を通る接平面が、前記ニップ部から前記プラテン面に向かうに連れて当該プラテン面に接近する方向に傾斜する傾斜面となるように、ローラー対が配置されており、前記プラテン面の前記ニップ部の側には、前記プラテン面の前記ニップ部の側に向けて前記印刷ヘッドの側に傾斜する傾斜面部を有して前記ニップ部から送り出される前記記録紙をガイドするガイド面が形成されており、当該ガイド面は、前記接平面から突出しない高さのガイド面であることを特徴としている。
【手続補正３】
【補正対象書類名】明細書
【補正対象項目名】００１２
【補正方法】変更
【補正の内容】
【００１２】
ここで、前記ガイド面の傾斜面部の傾斜は、前記接平面に沿った傾斜角度であることが望ましい。このようにすると、ニップ部から送り出される記録紙の送り出し方向とガイド面の傾斜面部分の方向が一致するので、記録紙の撓みを確実に防止できる。
【手続補正４】
【補正対象書類名】明細書
【補正対象項目名】００１３
【補正方法】変更
【補正の内容】
【００１３】
また、前記傾斜面部に連続して前記ニップ部の側に向かうに連れて前記印刷ヘッドの側とは逆の側に傾斜しているすくい面部を備えることが望ましい。たとえば、ニップ部から送り出される記録紙の部分に曲げ癖、折り癖が付いている場合などにおいては、このような部分が、すくい面部分によって下流側の傾斜面部分に向けてすくい上げられるので、記録紙を円滑に搬送することができる。
【手続補正５】
【補正対象書類名】明細書
【補正対象項目名】００１４
【補正方法】変更
【補正の内容】
【００１４】
さらに、前記すくい面部に連続して、前記ニップ部の側に突出する突出面部が形成されることが望ましい。突出面部分を形成することにより、吸引プラテンとローラー間の隙間を狭くできるので、この部分に記録紙が詰まる紙詰まり状態の発生を防止できる。
【手続補正６】
【補正対象書類名】明細書
【補正対象項目名】００１５
【補正方法】変更
【補正の内容】
【００１５】
ここで、吸引プラテンとしては、前記記録紙の搬送方向に延びるリブの上端面によって規定されている構造のものを採用することができる。この場合には、各リブの上端面によってガイド面を規定することができ、また、前記吸引プラテンの前記端面よりも前記ニップ部の側に突出する突出リブ部を形成して当該突出リブ部分の上端面によって前記突出面部分を規定すればよい。
【手続補正７】
【補正対象書類名】明細書
【補正対象項目名】００１６
【補正方法】変更
【補正の内容】
【００１６】
前記プラテン面を上向きの水平面部を有し、前前記ローラー対は、水平に配置されて上下方向から相互に圧接する配置が採用される。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
遊戯者が操作する操作手段と、
物体を把持するアーム部材を備えた物体把持装置と、
前記物体把持装置を少なくとも横方向、上下方向又は奥行き方向に移動させる移動機構部と、
前記操作手段の操作に応じて前記移動機構部の制御を行う制御手段と、
を有し、
前記アーム部材によって景品を取得する景品取得ゲーム装置において、
前記アーム部材は、複数の腕部から構成されてなり、
前記複数の腕部は、互いに軸着されると共に、付勢部材により所定方向に付勢されてなることを特徴とする景品取得ゲーム装置。
【請求項２】
前記複数の腕部は、
第１腕部と、
前記第１腕部に軸着された第２腕部と、
前記第２腕部に軸着されると共に、前記景品を把持する把持部を有する第３腕部と、を少なくとも含んで構成されてなることを特徴とする請求項１に記載の景品取得ゲーム装置。
【請求項３】
前記付勢部材は、
前記第３腕部に軸着された前記第２腕部の下端が、前記第１腕部に軸着された前記第２腕部の上端よりも前記奥行き方向に位置するように付勢する第１付勢部材と、
前記第３腕部の把持部が、前記第２腕部に軸着された前記第３腕部の軸着部よりも前記奥行き方向に位置するように付勢する第２付勢部材と、から構成されることを特徴とする請求項２に記載の景品取得ゲーム装置。
【請求項４】
前記第２腕部は、前記第１腕部に回動自在に軸着されると共に、
前記第３腕部は、前記第２腕部に回動自在に軸着され、
前記第１腕部に回動自在に軸着された前記第２腕部の回動角度、及び、前記第２腕部に回動自在に軸着された前記第３腕部の回動角度がストッパーによって規制されることを特徴とする請求項３に記載の景品取得ゲーム装置。
【請求項５】
前記物体把持装置は、前記横方向又は前記上下方向の少なくとも一方へ移動した後に前記奥行き方向に移動し、景品を把持する動作を実行することを特徴とする請求項１から４のいずれかに記載の景品取得ゲーム装置。
【手続補正２】
【補正対象書類名】明細書
【補正対象項目名】０００６
【補正方法】変更
【補正の内容】
【０００６】
また、景品が段階的に吊下棒の先端に近付く（景品獲得に近付く）ときに、把持アームが景品や吊下棒等（障害物）に衝突してしまうと、景品を把持することすらできず、また、把持アームには衝突したときの衝撃を逃がすことができないという問題がある。
【手続補正３】
【補正対象書類名】明細書
【補正対象項目名】０００７
【補正方法】変更
【補正の内容】
【０００７】
本発明は、上述した事情に鑑みてなされたものであり、景品を取得する際に把持アームが景品に衝突したときに把持アームにうける衝撃を逃がすことのできる景品取得ゲーム装置を提供することを目的とする。
【手続補正４】
【補正対象書類名】明細書
【補正対象項目名】０００８
【補正方法】変更
【補正の内容】
【０００８】
上記課題を解決するために、本発明に係る景品取得ゲーム装置は、遊戯者が操作する操作手段と、物体を把持するアーム部材を備えた物体把持装置と、前記物体把持装置を少なくとも横方向、上下方向又は奥行き方向に移動させる移動機構部と、前記操作手段の操作に応じて前記移動機構部の制御を行う制御手段と、を有し、前記アーム部材によって景品を取得する景品取得ゲーム装置において、前記アーム部材は、複数の腕部から構成されてなり、前記複数の腕部は、互いに軸着されると共に、付勢部材により所定方向に付勢されてなることを特徴とする。
また、本発明に係る景品取得ゲーム装置は、前記複数の腕部は、第１腕部と、前記第１腕部に軸着された第２腕部と、前記第２腕部に軸着されると共に、前記景品を把持する把持部を有する第３腕部と、を少なくとも含んで構成されてなることを特徴とする。
また、本発明に係る景品取得ゲーム装置は、前記付勢部材は、前記第３腕部に軸着された前記第２腕部の下端が、前記第１腕部に軸着された前記第２腕部の上端よりも前記奥行き方向に位置するように付勢する第１付勢部材と、前記第３腕部の把持部が、前記第２腕部に軸着された前記第３腕部の軸着部よりも前記奥行き方向に位置するように付勢する第２付勢部材と、から構成されることを特徴とする。
また、本発明に係る景品取得ゲーム装置は、前記第２腕部は、前記第１腕部に回動自在に軸着されると共に、前記第３腕部は、前記第２腕部に回動自在に軸着され、前記第１腕部に回動自在に軸着された前記第２腕部の回動角度、及び、前記第２腕部に回動自在に軸着された前記第３腕部の回動角度がストッパーによって規制されることを特徴とする。
また、本発明に係る景品取得ゲーム装置は、前記物体把持装置は、前記横方向又は前記上下方向の少なくとも一方へ移動した後に前記奥行き方向に移動し、景品を把持する動作を実行することを特徴とする。
【手続補正５】
【補正対象書類名】明細書
【補正対象項目名】０００９
【補正方法】変更
【補正の内容】
【０００９】
本発明の景品取得ゲーム装置によれば、景品を取得するためのアーム部材が複数の腕部が回動自在に軸着されて構成されると共に、腕部が所定方向に付勢されている。このため、景品を取得する際に、上記所定方向に向かって腕部が移動したときに、腕部が障害物（景品も含む）などに衝突しても、その衝撃を逃がすことができる。
【手続補正６】
【補正対象書類名】明細書
【補正対象項目名】００８９
【補正方法】変更
【補正の内容】
【００８９】
そして、景品取得ゲーム装置１０００の制御部１０１は、横方向の移動限界距離を示すＸリミットフラグがＯＮであるか否か（縦行用可動レール２０２の移動範囲を定めるリミットスイッチ８ａ、８ｂから検出信号の入力があるか否か）を判断し（Ｓ２０３）、ＸリミットフラグがＯＮである（リミットスイッチ８ａ，８ｂからの入力信号の検出がある）と判断する場合にはステップＳ２０５に進み、ＯＮでない（リミットスイッチ８ａ、８ｂからの検出信号の入力がない）と判断する場合にはステップＳ２０４に進む。このステップＳ２０４においては、第１の操作部１０１３ａがＯＦＦであるか否か（第１の操作部１０１３ａから操作信号の入力がないか否か）を判断し、ＯＦＦであると判断されるまでステップＳ２０３とステップＳ２０４の判断処理を繰り返し、ＯＦＦである（第１の操作部１０１３ａから操作信号の入力がない）と判断する場合には、ステップＳ２０５に進む。そして、上記ステップＳ２０３においてＸリミットフラグがＯＮと判定されたとき、又はステップＳ２０４において第１の操作部１０１３ａがＯＦＦと判断されたときは、Ｘ方向移動モータ２４０の作動を止めて物体把持装置１００５の横方向への移動を終了させる（Ｓ２０５）。
【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
被検者眼の眼屈折力測定データ及び角膜形状測定データを入力するか、又はこれらの測定データに加えて被検者眼の前眼部画像データを入力するデータ入力手段と、入力された角膜形状測定データに基づく角膜形状マップの画像及び前眼部の画像の少なくとも一方を表示するディスプレイと、を備える眼科装置において、
前記ディスプレイに表示された前記画像上に、眼屈折力データの乱視軸を示す第１ラインのグラフィック及び角膜形状の乱視軸を示す第２ラインのグラフィックを合成して表示させる演算・表示制御手段であって、眼屈折力データの乱視度数がマイナス読み及びプラス読みの何れであるかに基づいて前記第２ラインの表示を角膜乱視の強主経線方向及び弱主経線方向の何れにするかを決定する演算・表示制御手段を備えることを特徴とする眼科装置。
【請求項２】
請求項１の眼科装置は、眼屈折力の乱視度数をマイナス読みにするかプラス読みにするかを選択する乱視選択手段を備え、
前記演算・表示制御手段は、マイナス読みが選択されたときには、前記第２ラインの表示を角膜乱視の弱主経線方向に決定し、プラス読みが選択されたときには前記第２ラインの表示を角膜乱視の強主経線方向に決定することを特徴とする眼科装置。
【請求項３】
請求項１又は２の眼科装置において、前記第１ライン及び第２ラインを前記画像に合成して表示する第１表示モードと、角膜乱視の強主経線方向のラインと弱主経線方向のラインとを角膜形状のマップ上に同時に表示する第２表示モードと、を選択する表示モード選択手段を備え、
前記演算・表示制御手段は、選択されたモードに従って前記ディスプレイの表示を制御することを特徴とする眼科装置。
【手続補正２】
【補正対象書類名】明細書
【補正対象項目名】０００７
【補正方法】変更
【補正の内容】
【０００７】
上記課題を解決するために、本発明は以下のような構成を備えることを特徴とする。
（１）  被検者眼の眼屈折力測定データ及び角膜形状測定データを入力するか、又はこれらの測定データに加えて被検者眼の前眼部画像データを入力するデータ入力手段と、入力された角膜形状測定データに基づく角膜形状マップの画像及び前眼部の画像の少なくとも一方を表示するディスプレイと、を備える眼科装置において、
前記ディスプレイに表示された前記画像上に、眼屈折力データの乱視軸を示す第１ラインのグラフィック及び角膜形状の乱視軸を示す第２ラインのグラフィックを合成して表示させる演算・表示制御手段であって、眼屈折力データの乱視度数がマイナス読み及びプラス読みの何れであるかに基づいて前記第２ラインの表示を角膜乱視の強主経線方向及び弱主経線方向の何れにするかを決定する演算・表示制御手段を備えることを特徴とする眼科装置。
（２）  （１）の眼科装置は、眼屈折力の乱視度数をマイナス読みにするかプラス読みにするかを選択する乱視選択手段を備え、
前記演算・表示制御手段は、マイナス読みが選択されたときには、前記第２ラインの表示を角膜乱視の弱主経線方向に決定し、プラス読みが選択されたときには前記第２ラインの表示を角膜乱視の強主経線方向に決定することを特徴とする眼科装置。
（３）  （１）又は（２）の眼科装置において、前記第１ライン及び第２ラインを前記画像に合成して表示する第１表示モードと、角膜乱視の強主経線方向のラインと弱主経線方向のラインとを角膜形状のマップ上に同時に表示する第２表示モードと、を選択する表示モード選択手段を備え、
前記演算・表示制御手段は、選択されたモードに従って前記ディスプレイの表示を制御することを特徴とする眼科装置。
【手続補正書】
【提出日】平成24年3月2日(2012.3.2)
【手続補正１】
【補正対象書類名】明細書
【補正対象項目名】００１９
【補正方法】変更
【補正の内容】
【００１９】
なお、本実施例では図１に示す解除グリップＳを一つの実施例としておりますが、基部パイプ上に支柱を立設して、この支柱にテーブルを具備してなるベッドサイドテーブルであったり、サイドレールなどに設けることも可能です。
すなわち、ベッドのサイドフレームに設けられた付属品取付穴を用いて装着するベッドの付属品であれば、本実施例に限定するものではなく、どのようなものであっても良い。
【手続補正書】
【提出日】平成24年2月16日(2012.2.16)
【手続補正１】
【補正対象書類名】明細書
【補正対象項目名】００２１
【補正方法】変更
【補正の内容】
【００２１】
リング４０は、円筒型回転フレーム３０の外周面３０aから空間距離ｄだけを離して備えられる。リング４０は、外側に凸の外側鍔部４０ａがついているので、リング４０は脱輪することなくリングフレーム５０の内周面に沿って回転可能である。
【手続補正２】
【補正対象書類名】明細書
【補正対象項目名】００２７
【補正方法】変更
【補正の内容】
【００２７】
また、第三実施形態は、第二実施形態と比較して、内向き鍔部４０ｂにより、円筒型フレーム３０をより広く覆うことができるため、部品の飛散が生じた場合にもより飛散範囲を狭めることができる。一方、第二実施形態では外向き鍔部４０ａにおけるリングフレーム５０の対向面に備えた滑り材４２を備えたが、それに相当する滑り材４２が不要となる。
【手続補正３】
【補正対象書類名】図面
【補正対象項目名】図２
【補正方法】変更
【補正の内容】
【図２】
2010201026.tif 000001
【手続補正４】
【補正対象書類名】図面
【補正対象項目名】図８
【補正方法】変更
【補正の内容】
【図８】
2010201026.tif 000002
【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
履物の底と、履物の甲側にあって前記履物の底に足を締付けて密着させる装着手段と、前記装着手段の外側を空間ができるように覆う甲被とを備え、前記装着手段は足の締付け具合が調節可能であることを特徴とする履物。
【請求項２】
前記装着手段は、少なくとも一部に紐状又は帯状の形状可変部を有し、前記履物の底及び／又は前記甲被側面に少なくとも一端を固定された足の締付部材を備えるものであって、前記形状可変部を変形させて足の締付け具合を調節することを特徴とする請求項１記載の履物。
【請求項３】
前記装着手段は、前記形状可変部に組付けられて足の甲を覆う甲パッドを具備することを特徴とする請求項２記載の履物。
【請求項４】
前記甲パッドは、保形性を有するとともに、前記形状可変部の変形量を調節し保持する調節機構が具備されていることを特徴とする請求項３記載の履物。
【請求項５】
前記履物の少なくとも爪先部に履物内部と外部との間を通気する換気構造を有することを特徴とする請求項２〜４のいずれかに記載の履物。
【請求項６】
前記形状可変部の一部又は全部は、電気的に形状変形可能な電気変形素子であることを特徴とする請求項２記載の履物。
【請求項７】
前記履物は、足の動きを検出する検出手段を備えており、前記装着手段は前記検出手段からの信号に基づき足の締付け具合を変える制御手段を具備していることを特徴とする請求項６記載の履物。
【請求項８】
履物の底と、
履物の甲側にあって前記履物の底に足を密着させる装着手段と、
前記装着手段の外側を覆う甲被と、を備えた履物であって、
前記装着手段は、
電気的に伸縮可能な電気変形素子と、前記履物に具備された操作部又は遠隔操作器からの設定情報に基づき前記電気変形素子に通電して足の締付け具合を電気的に調節する制御手段とを含むことを特徴とする請求項１記載の履物。
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
遊技領域に設けられた複数の始動領域のいずれかを遊技媒体が通過したことに基づいて、各々を識別可能な複数種類の識別情報を可変表示する可変表示手段を備え、前記識別情報の表示結果として予め定められた特定表示結果が導出表示されたときに、遊技者に有利な特定遊技状態に制御する遊技機であって、
所定の初期設定を実行した後、不揮発性メモリの記憶内容に基づき遊技機における遊技制御を実行する制御用ＣＰＵが内蔵された遊技制御用マイクロコンピュータと、
前記遊技制御用マイクロコンピュータに内蔵又は外付けされ、乱数値となる数値データを生成する乱数回路とを備え、
前記乱数回路は、
数値データを予め定められた手順により更新して出力する数値更新手段と、
前記数値更新手段から出力された数値データを乱数値として、前記複数の始動領域ごとに別個に取り込んで格納する複数の乱数値格納手段とを含み、
前記遊技制御用マイクロコンピュータは、
前記複数の始動領域のいずれかを遊技媒体が通過したときに、該遊技媒体が通過した始動領域にかかわらず共通の処理ルーチンにより、前記複数の乱数値格納手段のうち該遊技媒体が通過した始動領域に対応する乱数値格納手段から乱数値を読み出す乱数読出手段と、
前記乱数読出手段によって読み出された乱数値に基づいて、前記特定遊技状態に制御するか否かを、前記識別情報の表示結果が導出表示される以前に決定する事前決定手段と、
所定信号の入力に基づいて前記数値更新手段から出力された数値データが前記複数の乱数値格納手段のいずれかに格納されたときに該格納された乱数値格納手段に対応してオン状態にされて新たな数値データの該乱数値格納手段への格納を制限する一方、該乱数値格納手段に格納された数値データが乱数値の読出タイミングにて前記乱数読出手段により読み出されたときにオフ状態にされて新たな数値データの格納を許可する所定のフラグと、
前記制御用ＣＰＵによる遊技制御が開始されるときに、前記所定のフラグをオフ状態にする制御開始時処理手段と、
前記所定の初期設定において前記不揮発性メモリの記憶内容が変更されたか否かを検査するセキュリティチェックを実行するセキュリティチェック手段と、
前記セキュリティチェック手段によるセキュリティチェックの実行時間を可変設定可能なセキュリティ時間設定手段とを含む、
ことを特徴とする遊技機。
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示手段を備え、前記識別情報の表示結果として予め定められた特定表示結果が導出表示されたときに、遊技者に有利な特定遊技状態に制御する遊技機であって、
所定の初期設定を実行した後、不揮発性メモリの記憶内容に基づき遊技機における遊技制御を実行する制御用ＣＰＵが内蔵された遊技制御用マイクロコンピュータと、
前記遊技制御用マイクロコンピュータに内蔵又は外付けされ、乱数値となる数値データを生成する乱数回路とを備え、
前記乱数回路は、
数値データを予め定められた手順により更新して出力する数値更新手段と、
前記数値更新手段から出力された数値データを乱数値として取り込んで格納する乱数値格納手段とを含み、
前記遊技制御用マイクロコンピュータは、
所定信号の入力に基づいて前記数値更新手段から出力された数値データが前記乱数値格納手段に格納されたときにオン状態にされて新たな数値データの格納を制限する一方、前記乱数値格納手段に格納された数値データが乱数値の読出タイミングにて前記制御用ＣＰＵにより読み出されたときにオフ状態にされて新たな数値データの格納を許可する所定のフラグと、
前記乱数値格納手段から読み出された乱数値を保留データとして所定の上限記憶数の範囲内で記憶可能な保留記憶手段と、
前記保留記憶手段に記憶されている乱数値に基づいて、前記特定遊技状態に制御するか否かを、前記識別情報の表示結果が導出表示される以前に決定する事前決定手段と、
前記乱数値の読出タイミングにて前記保留記憶手段における保留データの記憶数が前記所定の上限記憶数に達しているときに、前記乱数値格納手段に格納された数値データを読み出すことにより前記所定のフラグをオフ状態にする上限記憶時読出手段と、
前記所定の初期設定において前記不揮発性メモリの記憶内容が変更されたか否かを検査するセキュリティチェックを実行するセキュリティチェック手段と、
前記セキュリティチェック手段によるセキュリティチェックの実行時間を可変設定可能なセキュリティ時間設定手段とを含む、
ことを特徴とする遊技機。
【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
易加水分解性縮合ポリマーの成型体をアミンで化学処理してなる多孔性成型体から構成され、易加水分解性縮合ポリマーの成型体が難加水分解性ポリマーで被覆処理されてなる複合成型体であることを特徴とする多孔性吸着材。
【請求項２】
多孔性成型体が難加水分解性ポリマーで被覆処理されてなる複合多孔性成型体である請求項１に記載の多孔性吸着材。
【請求項３】
アミンが多価アミンである請求項１又は２に記載の多孔性吸着材。
【請求項４】
易加水分解性縮合ポリマーがポリエチレンテレフタレート、ポリブチレンテレフタレート、ポリ乳酸又はこれらの混合体である請求項１〜３のいずれかに記載の多孔性吸着材。
【請求項５】
難加水分解性ポリマーが芳香族ポリスルホン、芳香族ポリエーテルスルホン、芳香族ポリエーテルイミド、芳香族ポリイミド、ポリビニル芳香族化合物又はこれらの混合体である請求項１〜４のいずれかに記載の多孔性吸着材。
【請求項６】
易加水分解性縮合ポリマー及び／又は難加水分解性ポリマーがアミノ基又は環状ペプチドの残基を有する請求項１〜５のいずれかに記載の多孔性吸着材。
【請求項７】
複合成形体が繊維状、不織布状、膜状、中空糸状又は粉粒状の形状である請求項１〜６のいずれかに記載の多孔性吸着材。
【請求項８】
体液中に含まれる被吸着物質を吸着するための吸着材である請求項１〜７のいずれかに記載の多孔性吸着材。
【請求項９】
被吸着物質が腫瘍増殖促進性蛋白質、神経病悪化蛋白質又はエンドトキシンである請求項８に記載の多孔性吸着材。
【請求項１０】
請求項１〜９のいずれかに記載された多孔性吸着材を充填してなることを特徴とする体外循環カラム。
【請求項１１】
感染症治療用、癌治療用又は脳神経科病治療用である請求項１０に記載の体外循環カラム。
【請求項１２】
易加水分解性縮合ポリマーの成型体をアミンで化学処理して多孔性成型体を得る工程（１）、
工程（１）の後に、多孔性成型体を難加水分解性ポリマーで被覆処理して複合多孔性成型体を得る工程（２）
を含むことを特徴とする多孔性吸着材の製造方法。
【請求項１３】
工程（２）の後に、複合多孔性成型体をアミンで化学処理して多孔性成型体を得る工程（３）を含む請求項１２に記載の製造方法。
【請求項１４】
工程（３）の後に、多孔性成型体を難加水分解性ポリマーで被覆処理して複合多孔性成型体を得る工程（４）を含む請求項１３に記載の製造方法。
【手続補正２】
【補正対象書類名】明細書
【補正対象項目名】００１１
【補正方法】変更
【補正の内容】
【００１１】
本発明の多孔性吸着材の特徴は、易加水分解性縮合ポリマーの成型体をアミンで化学処理してなる多孔性成型体から構成され、易加水分解性縮合ポリマーの成型体が難加水分解性ポリマーで被覆処理されてなる複合成型体である点を要旨とする。
【手続補正３】
【補正対象書類名】明細書
【補正対象項目名】００１３
【補正方法】変更
【補正の内容】
【００１３】
本発明の多孔性吸着材の製造方法の特徴は、易加水分解性縮合ポリマーの成型体をアミンで化学処理して多孔性成型体を得る工程（１）、
工程（１）の後に、多孔性成型体を難加水分解性ポリマーで被覆処理して複合多孔性成型体を得る工程（２）
を含む点を要旨とする。
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
下記の成分を含むトランクピストン・エンジン用潤滑油組成物：
ａ）主要量の一種以上のＩ種基油、および
ｂ）一種以上の分散添加剤、
ただし、本トランクピストン・エンジン用潤滑油組成物中の一種以上の分散添加剤の濃度は、活性分に基づき０．２−０．６質量％であり、そして該組成物の全塩基価は少なくとも１２である。
【請求項２】
組成物が、黒色スラッジを最小限に抑えるトランクピストン・エンジン用潤滑油組成物である請求項１に記載のトランクピストン・エンジン用潤滑油組成物。
【請求項３】
組成物が、分散剤を含まない潤滑油組成物に比べて、エンジン内の黒色スラッジ生成を少なくとも５％低減させる請求項２に記載のトランクピストン・エンジン用潤滑油組成物。
【請求項４】
組成物が、分散剤を活性分に基づき１質量％より多く含む潤滑油組成物に比べて、エンジン内の黒色スラッジ生成を少なくとも５％低減させる請求項２に記載のトランクピストン・エンジン用潤滑油組成物。
【請求項５】
組成物が、粘度の安定したトランクピストン・エンジン用潤滑油組成物である請求項１に記載のトランクピストン・エンジン用潤滑油組成物。
【請求項６】
組成物の酸化に基づく粘度増加が、分散剤を含まない潤滑油組成物に比べて少なくとも５％低い請求項５に記載のトランクピストン・エンジン用潤滑油組成物。
【請求項７】
トランクピストン・エンジン用潤滑油組成物が、一種以上の清浄添加剤を含んでいる請求項１に記載のトランクピストン・エンジン用潤滑油組成物。
【請求項８】
一種以上の清浄添加剤が過塩基性清浄添加剤を含んでいる請求項７に記載のトランクピストン・エンジン用潤滑油組成物。
【請求項９】
一種以上の清浄添加剤が、アルキル置換ヒドロキシ安息香酸の塩を含んでいる請求項７に記載のトランクピストン・エンジン用潤滑油組成物。
【請求項１０】
一種以上の清浄添加剤が、基本的にアルキル置換ヒドロキシ安息香酸の過塩基性塩からなる請求項７に記載のトランクピストン・エンジン用潤滑油組成物。
【請求項１１】
一種以上の清浄添加剤が、基本的にアルキル置換ヒドロキシ安息香酸とアルキル置換フェノールとの混合物の非過塩基性塩からなる請求項７に記載のトランクピストン・エンジン用潤滑油組成物。
【請求項１２】
清浄添加剤のアルキル基の９５％より多くが、炭素原子数２０以上の線状アルファオレフィンの残基である請求項９に記載のトランクピストン・エンジン用潤滑油組成物。
【請求項１３】
一種以上の清浄添加剤がアルカリ土類金属塩を含み、かつ該アルカリ土類金属が、カルシウム、マグネシウムおよびそれらの組合せ及び混合物からなる群より選ばれたものである請求項７に記載のトランクピストン・エンジン用潤滑油組成物。
【請求項１４】
一種以上の分散添加剤がポリアルキレンコハク酸イミドを含んでいる請求項１に記載の
トランクピストン・エンジン用潤滑油組成物。
【請求項１５】
一種以上の分散添加剤がポリイソブテンコハク酸イミドを含んでいる請求項１に記載のトランクピストン・エンジン用潤滑油組成物。
【請求項１６】
トランクピストン・エンジン用潤滑油組成物が更に、耐摩耗性添加剤を含んでいる請求項１に記載のトランクピストン・エンジン用潤滑油組成物。
【請求項１７】
耐摩耗性添加剤がジアルキルジチオリン酸亜鉛を含んでいる請求項１６に記載のトランクピストン・エンジン用潤滑油組成物。
【請求項１８】
トランクピストン・エンジン用潤滑油組成物の粘度が、１００℃で５．６−２１．９ｃＳｔである請求項１に記載のトランクピストン・エンジン用潤滑油組成物。
【請求項１９】
下記の成分を含む、黒色スラッジを最小限に抑えるトランクピストン・エンジン用潤滑油組成物：
ａ）主要量の一種以上のＩ種基油、および
ｂ）一種以上の分散添加剤、
ただし、トランクピストン・エンジン用潤滑油組成物中の一種以上の分散添加剤の濃度は、活性分に基づき０．２−０．６質量％であり、該組成物の全塩基価は少なくとも１２であり、そしてトランクピストン・エンジン用潤滑油組成物は、分散剤を含まない潤滑油組成物に比べて、エンジン内の黒色スラッジ生成を少なくとも５％低減させる。
【請求項２０】
下記の成分を含む、粘度の安定したトランクピストン・エンジン用潤滑油組成物：
ａ）主要量の一種以上のＩ種基油、および
ｂ）一種以上の分散添加剤、
ただし、トランクピストン・エンジン用潤滑油組成物中の一種以上の分散添加剤の濃度は、活性分に基づき０．２−０．６質量％であり、該組成物の全塩基価は少なくとも１２であり、そして組成物の酸化に基づく粘度増加は、分散剤を含まない潤滑油組成物に比べて少なくとも５％低い。
【請求項２１】
トランクピストン・エンジン用潤滑油組成物を製造する方法であって、下記の成分を混合することを含む方法：
ａ）主要量の一種以上のＩ種基油、および
ｂ）一種以上の分散添加剤、
ただし、トランクピストン・エンジン用潤滑油組成物中の一種以上の分散添加剤の濃度は、活性分に基づき０．２−０．６質量％であり、そして該組成物の全塩基価は少なくとも１２である。
【請求項２２】
エンジン内の黒色スラッジ及び堆積物生成を低減させる方法であって、下記の成分を含むトランクピストン・エンジン用潤滑油組成物を用いて、エンジンを潤滑にすることを含む方法：
ａ）主要量の一種以上のＩ種基油、および
ｂ）一種以上の分散添加剤、
ただし、トランクピストン・エンジン用潤滑油組成物中の一種以上の分散添加剤の濃度は、活性分に基づき０．２−０．６質量％であり、そして該組成物の全塩基価は少なくとも１２である。
【請求項２３】
トランクピストン・エンジンを作動させる方法であって、下記の成分を含むトランクピストン・エンジン用潤滑油組成物を用いて、トランクピストン・エンジンを潤滑にするこ
とを含む方法：
ａ）一種以上のＩ種基油、および
ｂ）一種以上の分散添加剤、
ただし、トランクピストン・エンジン用潤滑油組成物中の一種以上の分散添加剤の濃度は、活性分に基づき０．２−０．６質量％であり、そして該組成物の全塩基価は少なくとも１２である。